(57)【要約】【課題】疑似餌を、複数の半部品を組み合わせたものとすることで、配色や形状を適宜替えられるように構成する。【解決手段】疑似餌１を互いに対向する複数の半部品２、３の本体２ａ、３ａと、該複数の半部品本体２ａ、３ａに一体的に設けられ、凹部と凸部とが互いに凹凸嵌合して半部品本体同士を一体的に連結するための嵌合部４、５とを備えることで、様々な配色や形状の本体２ａ、３ａで構成される半部品２、３同士を状況に応じて適宜組み合わたり、組み替えたりすることができるように構成した。【選択図】図１
0003177453.tif 000002
【実用新案登録請求の範囲】
【請求項１】
魚釣り用の疑似餌であって、該疑似餌は、互いに対向する複数の半部品本体と、該複数の半部品本体に一体的に設けられ、凹部と凸部とが互いに凹凸嵌合して半部品本体同士を一体的に連結するための嵌合部とを備えて構成されていることを特徴とする魚釣り用の疑似餌。
【請求項２】
嵌合部は、一つの半部品本体に形成される凹部と凸部で構成されていることを特徴とする請求項１記載の魚釣り用の疑似餌。
【請求項３】
互いに対向する半部品本体のあいだに少なくとも一つの補助部品を挟持でき、該補助部品は凸部が貫通することで支持されることを特徴とする請求項１または２記載の魚釣り用の疑似餌。
【考案の詳細な説明】
【技術分野】
【０００１】
本考案は、主にクロダイ釣りをするための魚釣り用の疑似餌の技術分野に関するものである。
【背景技術】
【０００２】
クロダイは雑食の魚であるため、クロダイ釣りでは従来、オキアミやエビ等の生餌だけでなく、スイカの皮やフジツボ、貝等の様々なものを餌として用いられてきた。また、これらフジツボや貝等を模した疑似餌も種々用いられてきた。
さらに、疑似餌として弾力がある樹脂、例えば消しゴムを１０〜２０ｍｍ程度の大きさの角切りや球体等にしたものを用いても釣れることは愛好家のあいだで知られているが、樹脂は適度な弾力があるから魚が食い付きやすいためであると考えられている。また、疑似餌に用いる樹脂に着色を施したものを用いることで、釣果が上がることが多いといったことも知られている。
【０００３】
ところで、前記樹脂製の球体や角切り体の疑似餌を用いて実際に釣りをする場合、天候や水中の状況（水温、潮の流れ、濁度等）、魚の好み等によって、魚の食い付きのよい色が種々異なることが確認されている。このため魚の食い付きが悪い場合、色の異なる疑似餌に交換することになるが、どのような色が現在の釣り環境において好適であるかが判らず、そのため一つの疑似餌の食いつきが悪かった場合、他色の疑似餌に替え、これがダメだったときにはさらに別色の疑似餌に替えるという試行錯誤が繰り返されることになり、果々しい釣果を得られないことがある。
そこで疑似餌を二色にすることで疑似餌の交換作業を少なくできるのではないか、と考え、複数色の疑似餌を用意し、これらをナイフ等で切断して分割し、異色のもの同士を接着剤で貼り合わせた二色の疑似餌を用いるようにしたものが知られている（例えば、非特許文献１、２参照）。
【先行技術文献】
【非特許文献】
【０００４】
【非特許文献１】「つり丸  ６月１日号」  Ｎｏ．２８３  Ｐ．６  株式会社マガジン・マガジン  ２０１１年６月１日発行
【非特許文献２】エリック・デュシュマン「週刊  日本の魚釣り  第７２号」  Ｐ．９８〜１００  アシェット・コレクションズ・ジャパン株式会社  ２０１２年２月１５日発売
【考案の概要】
【考案が解決しようとする課題】
【０００５】
前記非特許文献１、２のように二色の疑似餌とした場合、疑似餌の交換作業が確かに少なくなったが、魚の食いが一色の場合よりも上がることがあり、これは二色としたことで魚に興味を与えたものと推測される。そこで、事前に色を組み合わせた疑似餌を用意しておくことになるが、事前に用意した一つの二色疑似餌で釣果が上がらない場合には、配色の異なる他の二色疑似餌を用いることになる。このように疑似餌を他色の組合せとするにあたり、どの配色が実際に良いかを事前に見極めることは難しく、このため用意した疑似餌だけでは十分に対応できないといった問題があり、これを解決するためには配色が異なる疑似餌の多数個を事前に用意しなければならないという問題があり、ここに本考案の解決しようとする課題がある。
【課題を解決するための手段】
【０００６】
本考案は、上記の如き実情に鑑みこれらの課題を解決することを目的として創作されたものであって、請求項１の考案は、魚釣り用の疑似餌であって、該疑似餌は、互いに対向する複数の半部品本体と、該複数の半部品本体に一体的に設けられ、凹部と凸部とが互いに凹凸嵌合して半部品本体同士を一体的に連結するための嵌合部とを備えて構成されていることを特徴とする魚釣り用の疑似餌である。
請求項２の考案は、嵌合部は、一つの半部品本体に形成される凹部と凸部で構成されていることを特徴とする請求項１記載の魚釣り用の疑似餌である。
請求項３の考案は、互いに対向する半部品本体のあいだに少なくとも一つの補助部品を挟持でき、該補助部品は凸部が貫通することで支持されることを特徴とする請求項１または２記載の魚釣り用の疑似餌である。
【考案の効果】
【０００７】
請求項１、２の考案とすることで、複数の部品を簡単に組み合わせ、組み替えることができる。
請求項３の考案とすることで、組み合わせのバリエーションを増やすことができる。
【図面の簡単な説明】
【０００８】
【図１】第一の実施の形態の疑似餌であって、（Ａ）、（Ｂ）はそれぞれ第一、第二半部品の斜視図、断面図、（Ｃ）、（Ｄ）はそれぞれ疑似餌の断面図、側面図である。
【図２】第一の実施の形態の疑似餌のバリエーションを現すものであって、（Ａ）は半部品の斜視図、（Ｂ）は疑似餌の斜視図である。
【図３】第二の実施の形態の疑似餌であって、（Ａ）、（Ｂ）はそれぞれ疑似餌の斜視図、断面図、（Ｃ）は半部品及び補助部品の斜視図である。
【図４】第三の実施の形態の疑似餌であって、（Ａ）は疑似餌の斜視図、（Ｂ）、（Ｃ）はそれぞれ半部品の断面図、斜視図である。
【図５】（Ａ）は第四の実施の形態の疑似餌にかかる半部品の平面図及び斜視図、（Ｂ）は第五の実施の形態の疑似餌にかかる半部品の斜視図、（Ｃ）は第六の実施の形態の疑似餌にかかる半部品の斜視図及び断面図である。
【考案を実施するための形態】
【０００９】
次に、本考案の第一の実施の形態について図面に基づいて説明する。図面において、１は疑似餌であって、該疑似餌１は、二つの半部品（第一半部品、第二半部品）２、３を組み合わせたものであって、該第一、第二半部品２、３は、熱可塑性エラストマー、アクリル変成シリコーン等の弾力性のある高分子材料でできているが、熱可塑性エラストマーは、加熱することで溶融するため、該溶融状態で金型に流し込み、これを冷却することで必要な形状に成形できるうえ、繰り返しの加工も可能になって好ましい。
該第一、第二半部品２、３は、それぞれ、半球形状の本体２ａ、３ａと、該本体２ａ、３ａの平面部２ｂ、３ｂの略中央に凸部４ａ、５ａ、凹部４ｂ、５ｂが一体的に設けられる嵌合部４、５とで構成されているが、該嵌合部４、５は、互いに凹凸嵌合（雄雌嵌合）をさせる必要があるため外周面と内周面の形状が同じ形状をしている。そして、第一、第二半部品２、３の嵌合凸部凹部同士（凸部４ａと凹部５ｂ、凸部５ａと凹部４ｂ）をそれぞれ嵌め込みながら平面部２ｂ、３ｂを合わせることで、第一、第二半部品が組み合わせられ、一つの疑似餌１として構成される。そしてこの第一、第二半部品について、互いに異色（透明も含む）にするだけでなく、これらのものにラメ素材、パール素材、蛍光素材、気泡を入れる等の魚が好むとされる処理をしたものにすることでより変化性を持たせることができる。
因みに、嵌合部４、５について、凸部４ａ、５ａ、凹部４ｂ、５ｂの少なくとも一つが逆テーパ面４ｃ、５ｃにするか、凸部４ａ、５ａが凹部４ｂ、５ｂよりも僅かに大径にする等の無理嵌め構造にすることで、抜けづらくなって一体化性が向上するという利点がある。
【００１０】
そして、このように組み合わされた疑似餌１に釣り針６を通すが、このとき、図１に示すように、第一、第二半部品２、３の両本体２ａ、３ａを貫通するように釣り針６を通していくことで、例えば竿や糸を動かしたり、疑似餌１に魚が食いついたりして疑似餌１に抵抗がはたらいたような場合であっても、該第一、第二半部品２、３が、バラけてしまうことがなくなる。
【００１１】
また、疑似餌１の配色を替えるべく第一、第二半部品２、３の嵌合を外す場合は、まず、釣り針６を疑似餌１から抜き、両本体２ａ、３ａを外側へ引っ張ることで、嵌合部４、５の嵌合を解くことができるため、容易に疑似餌の組み変えができるように構成されている。
【００１２】
さらに、図２（Ａ）に示すように本体の大きさ（外径、長さ）を大小異ならしめたもの、本体の形状を四角柱、円錐台、円錐等の様々な形状にしたもの、あるいは表面を多面カットしたものを用意することができるが、これらのものにおいても嵌合部は形状や大きさが共通のものとして構成することにより、本体の形状や大きさが同じもの同士だけでなく、図２（Ｂ）に示すように異なる形状や大きさの本体のもの同士であっても組み合わせることができる。
【００１３】
叙述の如く構成された本考案の実施の形態において、第一、第二半部品２、３の本体２ａ、３ａに一体的に設けられる嵌合部４、５（凸部４ａと凹部５ｂ、凹部４ｂと凸部５ａ）を凹凸嵌合させて組み合わせるだけで疑似餌１とすることができ、また、配色を変えたい等の場合、疑似餌１を組み替えるべく第一、第二半部品２、３を外すことも容易にできるため、釣り人が実際の釣り場において、配色や形状を変えたりして、どの組合せの疑似餌が食い付きがよいか試行錯誤を楽しみながら釣りをすることができるものである。
【００１４】
なお、本考案は前記第一の実施の形態に限定されないことは勿論であって、図３に示す第二の実施の形態のようにすることができる。
第二の実施の形態の疑似餌１０は、第一、第二半部品１１、１２の嵌合部１３、１４（嵌合凸部１３ａ、１４ａ）が貫通することで支持されるリング状の補助部品１５を第一、第二半部品１１、１２のあいだに挟み込んだ状態で組み合わせるものである。
このようにすることで、三層の疑似餌となって、疑似餌のバリエーションを簡単に増やすことができる。
勿論、該補助部品１５についても、半部品と同様、異色（透明も含む）にするだけでなく、これらのものにラメ素材、パール素材、蛍光素材、気泡を入れる等の魚が好むとされる処理をしたものとすることができる。
また、補助部品の外径を第一、第二半部品の外径よりも大きくしたり、外周面の形状を湾曲状や多角状としたり、第一、第二半部品とは異なる形（四角形や楕円形など）としたりすることで、疑似餌全体の外観、印象を変えることができるため、クロダイに対するアピールだけでなく、釣り人が種々組み替える楽しみを大きくすることができる。
【００１５】
さらに、図４に示す第三の実施の形態の疑似餌２０は、第一半部品２１は第一の実施の形態のものと同じであるが、第二半部品をさらに二分割した第二左半部品２２、第二右半部品２３を用いるものであって、このようにすることで、疑似餌の配色のバリエーションを増やすことができるものである。
【００１６】
また、図５（Ａ）に示す第四の実施の形態のように第一半部品（第二半部品）２５の嵌合部２６を、形状は前記第一〜第三の実施の形態のものと同じであるが、本体の中心ではない位置に設けることもでき、このようにすることで、組み合わせた疑似餌の形状のバリエーションを容易に増やすことができる。
【００１７】
さらにまた、嵌合部の形状は前記各実施の形態のものに限定されず、図５（Ｂ）に示す第五の実施の形態の嵌合部３０のように角柱にしたものや、図５（Ｃ）に示す第六の実施の形態の嵌合部３５のように凸部３６と凹部３７との間を離したものとすることもでき、種々の形状が考えられる。
【００１８】
また、嵌合部について、第一、第二半部品のそれぞれに、凹凸部の両方を備えたものに限定されず、第一半部品には凸部のみを、第二半部品には該第一半部品の凸部に対応する凹部のみを備えた嵌合部とすることもできる。
【産業上の利用可能性】
【００１９】
本考案にかかる疑似餌は、複数の半部品を組み合わせることで構成される魚釣り用の疑似餌の技術分野に利用することができる。
【符号の説明】
【００２０】
１    疑似餌
２    第一半部品
３    第二半部品
４    嵌合部
４ａ  凸部
４ｂ  凹部
５    嵌合部
５ａ  凸部
５ｂ  凹部
【図１】
0003177453.tif 000003
【図２】
0003177453.tif 000004
【図３】
0003177453.tif 000005
【図４】
0003177453.tif 000006
【図５】
0003177453.tif 000007